(57)【特許請求の範囲】
【請求項１】
主幹ブレーカを収容可能な収容空間、底部に形成される電線挿通孔、および、前記電線挿通孔を挟むように設けられる取付部を有するハウジングベースと、
前記電線挿通孔を跨ぐ様に前記取付部に取り付けられるブリッジ部と、
前記収容空間において前記主幹ブレーカの一次側または二次側に設けられる支持台座とを備え、
前記支持台座は、内部機器を支持する台座本体部、前記台座本体部における前記ブリッジ部と対向する側部から突出し、前記ブリッジ部のスリットに挿通される一対の挿通部、および、前記台座本体部における前記取付部と対向する各側部のそれぞれから突出し、前記取付部に固定される一対の固定部とを含み、
前記一対の挿通部および前記一対の固定部は、前記電線挿通孔を跨ぐ方向に直交し、前記支持台座における前記電線挿通孔を跨ぐ方向の中央部を通る仮想軸を中心に対称に形成される
分電盤。
【請求項２】
前記主幹ブレーカを支持する支持本体部、および、前記支持本体部を挟むように設けられる一対の前記ブリッジ部を有する支持部を備える
請求項１に記載の分電盤。
【請求項３】
前記一対の挿通部は前記台座本体部の高さ方向において前記内部機器を支持する面よりに設けられ、
前記一対の固定部は前記台座本体部の高さ方向において前記内部機器を支持する面から離れた位置に設けられる
請求項１または２に記載の分電盤。
【発明の詳細な説明】
【技術分野】
【０００１】
本発明は、分電盤に関する。
【背景技術】
【０００２】
従来、分電盤は、主幹ブレーカや主幹ブレーカに接続された主幹電路から分岐して電気機器に電力を供給する分岐電路にそれぞれ設けられた複数の分岐ブレーカ等と、これら機器を収容するハウジングとを有して構成される（例えば特許文献１，２参照）。
【０００３】
このような分電盤のハウジングは、有底筒状のハウジングベースと、前記ハウジングベースの開口部を塞ぐカバーとを有する。ハウジングベースとカバーとで形成された収容空間内に前記内部機器が収容される。また、カバーには前記主幹ブレーカのハンドル（操作部）や分岐ブレーカのハンドルを露出させるための窓部が形成されて、ハンドルが操作可能となっている。
【０００４】
このような分電盤は、主幹ブレーカや分岐ブレーカ以外に、例えば電流制限器（リミッター）などの内部機器を設ける場合がある。これら電流制限器等の内部機器は、プレート（台座）に対して取り付けられる。このプレートは、例えばハウジングベースに架設されるブリッジ部に形成されるスリット又は主幹ブレーカ等を支持する支持バーに形成されるスリットに挿通させる挿通部（突起）を有する。そして、この挿通部を各スリットに挿通することでプレートの一部又は全部が支持されるようになっている。
【先行技術文献】
【特許文献】
【０００５】
【特許文献１】特開２００９−２６８２５２号公報
【特許文献２】特開２０１２−１３５１１５号公報
【発明の概要】
【発明が解決しようとする課題】
【０００６】
ところで、上記のような分電盤は、電流制限器（リミッター）などの内部機器を設ける場合にそれらを支持する支持台座が各内部機器に併せて用意する必要がある。また、分電盤の種類によって、分電盤内に収容される内部機器が異なる場合もある。このようなことから、内部機器を分電盤（ハウジング）内で支持する支持台座の共通化が望まれている。
【０００７】
本発明は、上記課題を解決するためになされたものであって、その目的は、内部機器を支持する支持台座の共通化を図ることができる分電盤を提供することにある。
【課題を解決するための手段】
【０００８】
本発明に関する分電盤は主幹ブレーカを収容可能な収容空間、底部に形成される電線挿通孔、および、前記電線挿通孔を挟むように設けられる取付部を有するハウジングベースと、前記電線挿通孔を跨ぐ様に前記取付部に取り付けられるブリッジ部と、前記収容空間において前記主幹ブレーカの一次側または二次側に設けられる支持台座とを備え、前記支持台座は、内部機器を支持する台座本体部、前記台座本体部における前記ブリッジ部と対向する側部から突出し、前記ブリッジ部のスリットに挿通される一対の挿通部、および、前記台座本体部における前記取付部と対向する各側部のそれぞれから突出し、前記取付部に固定される一対の固定部とを含み、前記一対の挿通部および前記一対の固定部は、前記電線挿通孔を跨ぐ方向に直交し、前記支持台座における前記電線挿通孔を跨ぐ方向の中央部を通る仮想軸を中心に対称に形成される。
【発明の効果】
【００１０】
本発明の分電盤によれば、内部機器を支持する支持台座の共通化を図ることができる。
【図面の簡単な説明】
【００１１】
【図１】実施形態におけるドアを閉じた状態の分電盤の斜視図である。
【図２】同上におけるドアを開けた状態における分電盤の斜視図である。
【図３】同上におけるドアを省略した状態における分電盤の斜視図である。
【図４】（ａ）は同上におけるハウジングの正面図であり、（ｂ）は（ａ）の部分拡大図である。
【図５】（ａ）は同上におけるハウジングの側面図であり、（ｂ）は（ａ）の部分拡大図である。
【図６】同上におけるハウジングベースの平面図である。
【図７】同上におけるハウジングカバーの平面図である。
【図８】同上における支持台座と取付ベースの組み付け状態について説明するための平面図である。
【図９】同上における支持台座と取付ベースの組み付け状態について説明するための斜視図である。
【図１０】同上における主幹ブレーカをハウジングベースに取り付けるための取付ベースの斜視図である。
【図１１】同上における支持台座の斜視図である。
【図１２】同上における支持台座と取付ベースの組み付け状態について説明するための斜視図である。
【図１３】同上における支持台座の取付変更例について説明するための平面図である。
【図１４】同上における支持台座の取付変更例におけるブリッジ部の斜視図である。
【発明を実施するための形態】
【００１２】
以下、分電盤の一実施形態を図面に従って説明する。
図１〜図３に示すように本実施形態の分電盤１０は、収容空間を有するハウジング１１と、ハウジング１１の収容空間内に収容される主幹ブレーカ５２や分岐ブレーカ５３等の内部収容品５１とを有する。なお、以下の説明において、分電盤１０を住宅の壁面に取り付けを行った際の鉛直方向を分電盤の上下方向、前記壁面と直交する方向を分電盤１０の前後方向、上下方向及び前後方向と直交する方向を分電盤１０の左右方向として説明を行う。また、一部の図においては矢印付きで各方向を示している。
【００１３】
図２及び図３に示すように、ハウジング１１は、有底矩形筒状のハウジングベース１２と、ハウジングベース１２の開口部１２ａを覆う有底矩形筒状のハウジングカバー１３とを有する。
【００１４】
図３及び図６に示すように、ハウジングベース１２は、底部２１と、底部２１の縁部から延出する矩形筒状部２２とを有して有底矩形筒状をなすよう構成される。
図３及び図６に示すように、ハウジングベース１２の底部２１は、その略中央に略矩形状に形成された電線挿通用の電線挿通孔２１ａが開口している。底部２１には前記電線挿通孔２１ａを挟んで上下両側のそれぞれに、複数のガイド孔２１ｂが左右方向に複数並設される。ガイド孔２１ｂは電線挿通孔２１ａの上側と下側との両方に同数個形成されている。
【００１５】
図３及び図６に示すように、ハウジングベース１２の矩形筒状部２２は、底部２１の縁部から延出する４つの側板部２３，２４によって構成される。矩形筒状部２２は、前記底部２１とは反対側の端部が開口部１２ａとなっている。矩形筒状部２２を構成する４つの側板部２３，２４は、左右方向に延びる２つ長尺側板部２３と、上下方向に延びる２つの短尺側板部２４とで構成される。
【００１６】
図５（ａ）及び図６に示すように、２つの長尺側板部２３のうちの相対的に上方向に位置する長尺側板部２３は、その外側面において板面と直交する方向に突出する突起２３ｔを長手方向両側にそれぞれ１個（計２個）有する。
【００１７】
図４（ａ）、図５（ａ）及び図６に示すように、矩形筒状部２２を構成する各側板部２４は、その外側面において板面と直交する方向に突出する突起２４ｔを長手方向両側にそれぞれ１個（計２個）有する。側板部２３の突起２３ｔの突出方向と側板部２４の突起２４ｔの突出方向は略直交する関係となっている。
【００１８】
図４（ｂ）及び図５（ｂ）に示すように、各側板部２３，２４の各突起２３ｔ，２４ｔは、ハウジングベース１２にハウジングカバー１３を組み付けた際に、ハウジングカバー１３よりも左右方向又は上下方向において外側に突出する長さを有する。
【００１９】
図３及び図７に示すように、ハウジングカバー１３は、底部３１と、底部３１の縁部から延出する矩形筒状部３２とを有して有底矩形筒状をなすように構成される。
図３及び図７に示すように、ハウジングカバー１３の底部３１は、その略中央に略矩形状に形成された開口部３１ａを有する。この開口部３１ａには、開口部３１ａを挟んで上下両側のそれぞれに、上下方向に延出する延出片３１ｂが左右方向に複数並設される。この延出片３１ｂには、主幹ブレーカ用カバーＣ１や分岐ブレーカ用カバーＣ２などの各種カバーが取り付けられるようになっている。
【００２０】
図７に示すように、ハウジングカバー１３の矩形筒状部３２は、底部３１の縁部から延出する４つの側板部３３，３４によって構成される。矩形筒状部３２は、前記底部３１とは反対側の端部が開口部３２ａとなっている。矩形筒状部３２を構成する４つの側板部３３，３４は、左右方向に延びる２つ長尺側板部３３と、上下方向に延びる２つの短尺側板部３４とで構成される。
【００２１】
図６及び図７に示すように、底部３１の上下方向の端部から延出する２つの長尺側板部３３は、その内面間の長さ（内寸）Ｄｂ１が、ハウジングベース１２側の２つの長尺側板部２３の外面間の長さ（外寸）Ｄａ１よりも長く設定される。また、底部３１の左右方向の端部から延出する２つの短尺側板部３４は、その内面間の長さ（内寸）Ｄｂ２が、ハウジングベース１２側の２つの短尺側板部２４の外面間の長さ（外寸）Ｄａ２よりも長く設定される。このため、ハウジングカバー１３の矩形筒状部３２は、ハウジングベース１２の矩形筒状部２２よりも開口面積が一回り広い構成とされる。これにより、ハウジングカバー１３は、その底部３１がハウジングベース１２の底部２１と対向する方向においてハウジングベース１２に対して組み付けることで、矩形筒状部３２がハウジングベース１２の矩形筒状部２２の周囲を覆うこととなる。このため、分電盤１０を左右方向又は上下方向から見た時にハウジングカバー１３の矩形筒状部３２がハウジングベース１２の矩形筒状部２２と重なるようになっている。例えばハウジングベース１２の矩形筒状部とハウジングカバー１３の矩形筒状部とを突きあわせた状態と比較して、左右方向や上下方向から見た時に隙間が生じることが抑えられている。
【００２２】
図７に示すように２つの長尺側板部３３のうちの相対的に上方向に位置する長尺側板部３３は、先端側（反底部３１側であり、前後方向において後ろ側）から基端側にかけて凹状をなすように形成される凹部３３ｔを長手方向両側にそれぞれ１個（計２個）有する。
【００２３】
図５（ａ）及び図７に示すように、矩形筒状部３２を構成する各短尺側板部３４は、先端側（反底部３１側であり、前記前後方向において後ろ側）から基端側にかけて凹状をなすように形成される凹部３４ｔを長手方向両側にそれぞれ１個（計２個）有する。各凹部３３ｔ，３４ｔは、ハウジングベース１２とハウジングカバー１３とを組み付けた際に、前記突起２３ｔ，２４ｔを嵌入可能な位置に形成されている。このため、凹部３３ｔ，３４ｔは、ハウジングベース１２とハウジングカバー１３とを組み付けた際に前記突起２３ｔ，２４ｔと干渉しないようになっている。また、凹部３３ｔ，３４ｔによって相対的に突起２３ｔ，２４ｔの突出量が減ることとなり、突起２３ｔ，２４ｔの極端な飛び出しが抑えられている。
【００２４】
図２に示すように、ハウジングカバー１３の底部３１を構成する前面３１ｃには、ハウジングカバー１３の前面３１ｃを覆うドア１４が開閉（回動）可能に設けられる。これにより、必要に応じてドア１４を開けることで主幹ブレーカ５２のハンドル５２ａや分岐ブレーカ５３のハンドル５３ａが露出され、操作可能となっている。また、ドア１４を閉じることで、主幹ブレーカ５２や分岐ブレーカ５３を隠すことが可能となっている。
【００２５】
ここで、ハウジングカバー１３とドア１４との取り付け構造について説明する。
図２に示すように、ドア１４は、ハウジングカバー１３の前面３１ｃの上部に開閉（回動）可能に設けられる。
【００２６】
図３及び図８に示すように、本実施形態の分電盤１０は、主幹ブレーカ５２の一次側には電流制限器（リミッタ）６１が接続される。電流制限器６１は、支持台座６２によって支持されている。
【００２７】
図８、図９及び図１１に示すように支持台座６２は、台座本体部６３と、２つの挿通部６４と、２つのねじ固定部６５とを有する。
図１１に示すように、台座本体部６３は、略矩形板状をなすように形成されるとともに、その前面には木板６３ａが設けられている。
【００２８】
２つの挿通部６４は、前記台座本体部６３の短手方向（左右方向）における一方の端部から延びるように形成される。挿通部６４は、前記台座本体部６３から延出する第１板部６４ａと、この第１板部６４ａの両端部から延出する第２板部６４ｂとを有する。第１板部６４ａは、板状をなす前記台座本体部６３の面方向と平行な面を有する。第２板部６４ｂは、前記第１板部６４ａの上下方向（延出方向と直交する方向）の両端部から第１板部６４ｂの面方向と直交する方向（前後方向）に延出するように形成される。第２板部６４ｂは前記延出方向先端側に基端側よりも更に延出する突起６４ｃが形成される。挿通部６４は、例えば主幹ブレーカ５２を支持するブレーカ支持部７０のブリッジ部７０ｂに形成されたスリット７２に挿通可能とされる。
【００２９】
ここで、ブレーカ支持部７０は、図１０に示すように、支持本体部７０ａと、この支持本体部７０ａを挟む２つのブリッジ部７０ｂ，７０ｃとを有し、一方のブリッジ部７０ｂのみに前記スリット７２が形成される。
【００３０】
図１０及び図１２に示すようにスリット７２は、前記２つの第２板部６４ｂの突起６４ｃが挿通可能な挿通用スリット７２ａと、前記突起６４ｃの抜け止めを行う抜け止め用スリット７２ｂとを有する。挿通用スリット７２ａと抜け止め用スリット７２ｂはそのスリットの開口面積が異なるものであり、前記挿通用スリット７２ａの方が抜け止め用スリット７２ｂよりも大きい開口を有している。
【００３１】
また、図１１に示すように、支持台座６２の２つの挿通部６４は、ブレーカ支持部７０の前記電線挿通孔２１ａを跨ぐ方向（上下方向）と直交する方向と平行であって前記電線挿通孔２１ａを跨ぐ方向の中央部を通る仮想軸ＫＬを中心として対称位置に形成される。
【００３２】
支持台座６２のねじ固定部６５は、前記ハウジングベース１２のガイド孔２１ｂにねじ固定させるためのものであり、電線挿通用の前記電線挿通孔２１ａを跨ぐように形成される。
【００３３】
次に、本実施形態の分電盤の作用を説明する。
本実施形態の分電盤１０は、ハウジング１１内部にブレーカ支持部７０を介して主幹ブレーカ５２が備えられる。主幹ブレーカ５２の一次側（入力側）には、支持台座６２によって支持された電流制限器６１が設けられる。電流制限器６１は、例えば商用交流電源を提供する電力会社との契約に基づいて設定される制限値を超える電流が流れると、主幹ブレーカ５２への電流供給を遮断する。
【００３４】
ここで、図９及び図１２に示すように、支持台座６２は、挿通部６４がブレーカ支持部７０のスリット７２に挿通して、抜け止め用スリット７２ｂと突起６４ｃとが係合することによって挿通部６４がスリット７２から抜けるのが抑えられている。支持台座６２の２つの挿通部６４は、ブレーカ支持部７０の前記電線挿通孔２１ａを跨ぐ方向（上下方向）とは直交する方向（左右方向）と平行であって前記電線挿通孔２１ａを跨ぐ方向の中央部を通る仮想軸ＫＬを中心として対称位置に形成されている。このため、例えば挿通部６４を図８で示す方向（左方向）から反対方向（右方向）となるように前後方向を回転軸として１８０度回転させた場合であっても、支持台座６２をハウジングベース１２のガイド孔２１ｂに固定すると、各挿通部６４は上下方向において略同一位置に位置することとなる。これによって、例えば図１３に示すように主幹ブレーカ５２の二次側（本実施形態では右側）に支持台座６２を設けることができ、支持台座６２の共有化が図られている。なお、図１３では主幹ブレーカ５２のブレーカ支持部７０のブリッジ部７０ｂではなく、このブレーカ支持部７０とは別のブリッジ部８０を取り付けている。このブリッジ部８０は、図１４に示すように、ブレーカ支持部７０のブリッジ部７０ｂと同様にスリット８１を有する。このスリット８１は、前記２つの第２板部６４ｂの突起６４ｃが挿通可能な挿通用スリット８１ａと、前記突起６４ｃの抜け止めを行う抜け止め用スリット８１ｂとを有する。挿通用スリット８１ａと抜け止め用スリット８１ｂはそのスリットの開口面積が異なるものであり、前記挿通用スリット８１ａの方が抜け止め用スリット８１ｂよりも大きい開口を有している。
【００３５】
次に、本実施形態の効果を記載する。
（１）支持台座６２は、電線挿通孔２１ａを跨ぐ方向とは直交する方向と平行であって前記電線挿通孔２１ａを跨ぐ方向の中央部を通る仮想軸ＫＬを中心として、前記ブリッジ部７０ｂのスリット７２に挿通される挿通部６４が対称位置に形成される。これによって支持台座６２を回転させて挿通部６４を挿通する方向が１８０度反対側となっても、各挿通部６４が対称位置に形成されるため、スリット７２に対して
（２）ブリッジ部７０ｂは、主幹ブレーカ５２を支持するブレーカ支持部７０の一部であるため、部品点数の増加が抑えられている。
【００３６】
なお、上記実施形態は、以下のように変更してもよい。
・上記実施形態では、主幹ブレーカ５２の二次側に取り付けられる例として、図１３及び図１４に示すように主幹ブレーカ５２を支持するブレーカ支持部７０とは別体のブリッジ部８０を用いる構成としたが、これに限らない。例えば、ブレーカ支持部７０のブリッジ部７０ｃにブリッジ部７０ｂと同様のスリット７２を形成することで、別体のブリッジ部８０を不要とすることができる。
【００３７】
・上記実施形態では、ハウジングベース１２及びハウジングカバー１３を有底矩形筒状としたが、有底筒状であれば適宜変更してもよい。ただし、ハウジングベース１２の矩形筒状部２２及びハウジングカバー１３の矩形筒状部３２は類似形状であることが好ましい。
【００３８】
・上記実施形態並びに上記変形例は適宜組み合わせてもよい。
【符号の説明】
【００３９】
１０…分電盤、１１…ハウジング、１２…筐体を構成するハウジングベース、１２ａ…開口部、１３…筐体を構成するハウジングカバー（カバー）、２１ａ…電線挿通孔、５２…主幹ブレーカ、６２…支持台座、６４…挿通部、７０ｂ，７０ｃ…ブリッジ部、８０…ブリッジ部、ＫＬ…仮想軸。
【図１】
0006365926.tif 000002
【図２】
0006365926.tif 000003
【図３】
0006365926.tif 000004
【図４】
0006365926.tif 000005
【図５】
0006365926.tif 000006
【図６】
0006365926.tif 000007
【図７】
0006365926.tif 000008
【図８】
0006365926.tif 000009
【図９】
0006365926.tif 000010
【図１０】
0006365926.tif 000011
【図１１】
0006365926.tif 000012
【図１２】
0006365926.tif 000013
【図１３】
0006365926.tif 000014
【図１４】
0006365926.tif 000015